【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
無線広域ネットワークに接続するように構成された装置のためにネットワーク接続情報を取得する方法において、
インターネットを介して、無線広域ネットワークに接続するように構成された装置からプロビジョニング・サーバーへ要求を送信するステップであって、前記要求は、ユーザーＩＤと利用可能な無線広域ネットワークに関連するネットワーク接続情報の要求を定義する要素とを含む、ステップと、
前記プロビジョニング・サーバーから前記ネットワーク接続情報を受信するステップであって、前記ネットワーク接続情報は、前記無線広域ネットワーク装置によって送信された前記要求に含まれる情報に基づいて前記プロビジョニング・サーバーによって選択されたものである、ステップと
を含む方法。
【請求項２】
プロビジョニング・サーバーのＵＲＬに関する情報の要求をリダイレクション・サーバーに送信するステップと、
前記プロビジョニング・サーバーのＵＲＬに関する前記情報を受信するステップと、
前記プロビジョニング・サーバーのＵＲＬを決定するステップと
をさらに含み、
インターネットを介して無線広域ネットワーク装置からプロビジョニング・サーバーへ要求を送信する前記ステップは、前記決定されたＵＲＬに要求を送信するステップを含む請求項１に記載の方法。
【請求項３】
前記無線広域ネットワーク装置のオペレーティング・システムから前記リダイレクション・サーバーのＵＲＬを取得するステップをさらに含む請求項１に記載の方法。
【請求項４】
前記ネットワーク接続情報の少なくとも一部が変更された旨の通知を受信するステップと、
前記プロビジョニング・サーバーから更新されたネットワーク接続情報を受信するステップと
をさらに含む請求項１に記載の方法。
【請求項５】
通知を受信する前記ステップはＳＭＳメッセージを受信するステップを含む請求項４に記載の方法。
【請求項６】
無線広域ネットワーク装置からプロビジョニング・サーバーへ要求を送信する前記ステップは媒介装置へ前記要求を送信するステップを含み、前記方法は、
前記媒介装置が前記要求からの情報を前記プロビジョニング・サーバーへ転送するステップと、
前記プロビジョニング・サーバーが前記無線広域ネットワーク装置へ前記ネットワーク接続情報を送信するステップと
をさらに含む請求項１に記載の方法。
【請求項７】
前記媒介装置はリダイレクション・サーバーを含む請求項６に記載の方法。
【請求項８】
前記媒介装置はインターネットに接続されたパーソナルコンピューターを含む請求項６に記載の方法。
【請求項９】
プロビジョニング・サーバーからネットワーク接続情報を受信する前記ステップは、前記プロビジョニング・サーバーから前記ネットワーク接続情報を受信した媒介装置から前記ネットワーク接続情報を受信するステップを含む請求項１に記載の方法。
【請求項１０】
前記ネットワーク接続情報は、設定情報、使用が承認された無線データ・ローミング・ネットワークの識別、及び前記使用が承認された無線データ・ローミング・ネットワークに関するコスト情報のうち１つ以上を含む請求項１に記載の方法。
【請求項１１】
前記ネットワーク接続情報は使用が承認された無線データ・ローミング・ネットワークの識別を含み、前記方法は、
前記ネットワーク接続情報に応じて、前記承認された無線データ・ローミング・ネットワークとの接続を選択的に開始するステップをさらに含む請求項１に記載の方法。
【請求項１２】
前記無線広域ネットワークへの前記無線広域ネットワーク装置の接続の前に、前記プロビジョニング・サーバーから前記ネットワーク接続情報を受信するステップが生じる請求項１に記載の方法。
【請求項１３】
プロビジョニング・サーバーからネットワーク接続情報を検索するように、無線広域ネットワークに接続するように構成された装置に指示する方法のステップを実行するためのコンピューター読み取り可能な命令を有する少なくとも１つのコンピューター読み取り可能な記憶装置において、前記方法は、
条件に基づいてネットワーク接続情報の検索を開始するステップと、
プロビジョニング・サーバーのＵＲＬに関する情報の要求を無線広域ネットワークに接続するように構成された装置からリダイレクション・サーバーに送信するステップと、
プロビジョニング・サーバーの前記ＵＲＬに関する情報を受信するステップと、
前記プロビジョニング・サーバーのＵＲＬを決定するステップと、
前記無線広域ネットワーク装置からの要求をインターネットを介して前記決定されたＵＲＬに送信するステップであって、前記要求は、ユーザーＩＤとネットワーク接続情報の要求を定義する要素とを含む、ステップと、
前記無線広域ネットワーク装置が前記プロビジョニング・サーバーからインターネットを介して前記ネットワーク接続情報を受信するステップであって、前記ネットワーク接続情報は、設定情報、使用が承認された無線データ・ローミング・ネットワークの識別、及び前記無線広域ネットワーク装置に関連付けられたデータ加入者プランに関するコスト情報のうち１つ以上を含む、ステップと
を含むコンピューター読み取り可能な記憶装置。
【請求項１４】
前記ネットワーク接続情報はデータ加入者プランに関するコスト情報を含み、前記方法は、
ユーザー・インターフェース上で前記コスト情報を表示するステップと、
前記無線広域ネットワークとの接続を開始するべきか否かに関するユーザー入力を要求するステップと
をさらに含む請求項１３に記載のコンピューター読み取り可能な記憶装置。
【請求項１５】
前記方法は、前記無線広域ネットワーク装置のオペレーティング・システムから前記リダイレクション・サーバーのＵＲＬを取得するステップをさらに含む請求項１３に記載のコンピューター読み取り可能な記憶装置。
【請求項１６】
前記方法は、無線広域ネットワーク・データ・カードのコンピューター読み取り可能な媒体から前記リダイレクション・サーバーのＵＲＬを取得するステップをさらに含む請求項１３に記載のコンピューター読み取り可能な記憶装置。
【請求項１７】
前記方法は、前記データ・カード上のドライバーから前記リダイレクション・サーバーのＵＲＬを取得するステップをさらに含む請求項１６に記載のコンピューター読み取り可能な記憶装置。
【請求項１８】
プロビジョニング・サーバーから無線広域ネットワークに接続するように構成された装置へのネットワーク接続情報の提供を容易にするステップを実行するための情報及びコンピューター読み取り可能な命令の記憶部を有する少なくとも１つのコンピューター読み取り可能な記憶装置において、前記方法は、
無線広域ネットワークに接続するように構成された装置からの要求をインターネットを介して受信するステップであって、前記要求は前記無線広域ネットワーク装置が利用可能な無線広域ネットワークに関連するネットワーク接続情報を検索することを望むことを示す、ステップと、
（ａ）前記無線広域ネットワーク装置へプロビジョニング・サーバーのＵＲＬに関する情報を送信するステップであって、前記プロビジョニング・サーバーは、前記無線広域ネットワーク装置からネットワーク接続情報の要求を受信するように構成され、さらに、前記無線装置の識別に基づいてネットワーク接続情報の記憶部からネットワーク接続情報を選択するように構成され、さらに、前記無線広域ネットワークへ前記選択されたネットワーク接続情報を送信するように構成される、ステップ、及び、
（ｂ）前記要求からの情報を前記プロビジョニング・サーバーに送信し、前記無線装置の識別に基づいてネットワーク接続情報の記憶部からネットワーク接続情報を選択するよう前記プロビジョニング・サーバーに指示し、及び、前記無線広域ネットワーク装置へ前記選択されたネットワーク接続情報を送信するよう前記プロビジョニング・サーバーに指示するステップ
のうちの少なくとも１つのステップと
を含むコンピューター読み取り可能な記憶装置。
【請求項１９】
前記方法は前記ステップ（ａ）を含む請求項１８に記載のコンピューター読み取り可能な記憶装置。
【請求項２０】
前記方法は前記ステップ（ｂ）を含む請求項１８に記載のコンピューター読み取り可能な記憶装置。